(57)【要約】【課題】建物に取付けた状態で光の透過性を確保することができ、建物への取付け位置に制限を受けることがないので、ソーラシステム全体の発電量の増大に寄与することができるソーラパネルを提供する。【解決手段】板ガラス２を用いた光透過性パネル３と、このパネル３に取付けた太陽電池素子４とからなり、太陽電池素子４に対して光透過性パネル３が、太陽電池素子４の周辺に光透過部分５を形成する大きさに設定されている。【選択図】図１
2005197489.tif 000002
【特許請求の範囲】
【請求項１】
光透過性パネルと、このパネルに取付けた太陽電池素子とからなり、前記太陽電池素子に対して光透過性パネルが、太陽電池素子の周辺に光透過部分を形成する大きさに設定されているソーラパネル。
【請求項２】
上記光透過性パネルが、二枚の透明な板ガラスで形成され、上記太陽電池素子が重ね合わせた二枚の板ガラス間に挟まれて収まり、この太陽電池素子の周囲に二枚の透明な板ガラスだけの光透過部分が形成されている請求項１に記載のソーラパネル。
【請求項３】
上記光透過性パネルに対して複数の太陽電池素子を、隣接する太陽電池素子間に隙間を設けて取付け、各太陽電池素子の周辺に光透過部分を形成した請求項１又は２に記載のソーラパネル。
【請求項４】
上記太陽電池素子が両面発電型である請求項１乃至３の何れかに記載のソーラパネル。
【発明の詳細な説明】
【技術分野】
【０００１】
この発明は、建物等の太陽光を受ける部分に配置し、太陽光から発電を得るようにするソーラパネルに関する。
【背景技術】
【０００２】
太陽光発電を行うためのソーラパネルは、建物の屋根等に取付け、光を受けた太陽電池素子が発電するものである。
【０００３】
例えば、従来のソーラパネルは、二枚の透明な板ガラスで形成された光透過性パネルと、重ね合わせた二枚の板ガラス間に挟まれて収まる太陽電池素子の組み合わせからなり、板ガラスとその間に組み込む太陽電池素子は、略等しい平面的な大きさに形成されている。
【発明の開示】
【発明が解決しようとする課題】
【０００４】
ところで、上記のようなソーラパネルは、板ガラスとその間に組み込む太陽電池素子が、略等しい平面的な大きさに形成されているので、太陽電池素子によって光が遮断され、パネル全面において光の透過性がない構造になり、このため、屋根に採光用の天窓が設けられているような場合、採光を確保するために天窓の部分を避けて取り付けなければならず、屋根に対するソーラパネルの設置可能な面積がその分少なくなり、発電量の低下を招くことになる。
【０００５】
また、ソーラパネルは、建物の屋根だけでなく、ベランダ等の手すり部分や壁面当の太陽光が当たる部分に取付けて、ソーラシステム全体の発電量を増大させることが好ましいが、上記のように、従来のソーラパネルは、光の透過性がないため、上記したような屋根以外の部位に取付けると室内への採光が阻害され、室内が暗くなるという問題がある。
【０００６】
そこで、この発明の課題は、建物に取付けた状態で光の透過性を確保することができ、取付け位置に制限を受けることがないので、ソーラシステム全体の発電量の増大に寄与することができるソーラパネルを提供することにある。
【課題を解決するための手段】
【０００７】
上記のような課題を解決するため、請求項１の発明は、光透過性パネルと、このパネルに取付けた太陽電池素子とからなり、前記太陽電池素子に対して光透過性パネルが、太陽電池素子の周辺に光透過部分を形成する大きさに設定されている構成を採用したものである。
【０００８】
請求項２の発明は、請求項１の発明において、上記光透過性パネルが、二枚の透明な板ガラスで形成され、上記太陽電池素子が重ね合わせた二枚の板ガラス間に挟まれて収まり、この太陽電池素子の周囲に二枚の透明な板ガラスだけの光透過部分が形成されている構成を採用したものである。
【０００９】
請求項３の発明は、請求項１又は２の発明において、上記光透過性パネルに対して複数の太陽電池素子を、隣接する太陽電池素子間に隙間を設けて取付け、各太陽電池素子の周辺に光透過部分を形成した構成を採用したものである。
【００１０】
請求項４の発明は、請求項１乃至３の何れかの発明において、上記太陽電池素子が両面発電型である構成を採用したものである。
【発明の効果】
【００１１】
この発明によると、太陽電池素子の周辺に光透過性パネルだけの光透過部分を形成したので、建物に対する取付け状態において、光透過部分によって室内側への採光が可能となり、屋根に採光用の天窓が設けられているような場合、天窓上に取付けても採光を確保することができ、屋根に対するソーラパネルの設置可能な面積を拡大することで、発電量の増大を図ることができる。
【００１２】
また、建物に対する取付け状態において、光透過部分によって室内側への採光が可能となるので、屋根以外の部位に対して取付けても室内側が暗くなるようなことがなく、取付け位置の制限を無くすことで、建物への取付け数を増やすことができ、これによってソーラシステム全体の発電量の増大に寄与することができる。
【００１３】
更に、太陽電池素子を両面発電型にすると、光透過部分を通過した光を裏面側の太陽電池素子に反射させることで、両面の太陽電池素子を同時に発電させることができ、発電量の増大を図ることができる。
【発明を実施するための最良の形態】
【００１４】
透明な板ガラスを用いた光透過性パネルと、このパネルに取付けた太陽電池素子とからなり、上記太陽電池パネルに対して光透過性パネルが平面的に大きく、太陽電池素子の周辺に光透過性パネルだけの光透過部分を形成する。
【実施例１】
【００１５】
図１に示す第１の実施例のソーラパネル１は、一枚の太陽電池素子を用いた比較的小さなソーラパネルの例であり、二枚の透明な板ガラス２を重ね合わせた光透過性パネル３と、重ね合わせた二枚の板ガラス２間に挟まれて収まる太陽電池素子４とからなり、太陽電池素子４に対して光透過性パネル３が、太陽電池素子４の四周辺に所定の幅を有する光透過部分５を形成する大きさに設定されている。
【００１６】
図２に示す第２の実施例のソーラパネル１は、複数枚の太陽電池素子を用いた比較的大きなソーラパネルの例であり、二枚の透明な板ガラス２を重ね合わせた大きな光透過性パネル３と、重ね合わせた二枚の板ガラス２間に挟まれて収まる複数の太陽電池素子４とからなり、太陽電池素子４は隣接する太陽電池素子４間に隙間を設けた配置とし、各太陽電池素子４の周辺に光透過部分５を形成したものである。
【００１７】
図３は、上記した各実施例におけるソーラパネル１の異なった断面構造の例を示し、図３（ａ）の例は光透過性パネル３となる透明な二枚の板ガラス２間に太陽電池素子４を挟むように収め、図３（ｂ）の例は光透過性パネル３となる透明な二枚の板ガラス２間に両面発電型となる二枚の太陽電池素子４を挟むように収めたものである。
【００１８】
また、図３（ｃ）の例は、光透過性パネル３を、透明な板ガラス２と、透明な合成樹脂板６を重ねて形成し、この板ガラス２と合成樹脂板６間に太陽電池素子４を挟むように収めたものである。
【００１９】
なお、各実施例におけるソーラパネル１において、光透過性パネル３は、板ガラス２だけでなく硬質の合成樹脂板を用いてもよく、また、板ガラスや硬質の合成樹脂板は、透明だけでなく、乳白色等の光透過性があるものを用いることができる。
【００２０】
この発明のソーラパネルは、上記のような構成であり、建物における屋根や壁面、ベランダの手摺、図４のように、屋上の手摺７等に、太陽電池素子４へ太陽光が照射するよう必要な枚数を並べて配置し、各ソーラパネル１の太陽電池素子４を電気的に接続することにより、太陽電池素子４で発電された電力を取出すようにする。
【００２１】
上記ソーラパネル１は、太陽電池素子４の周辺に光透過性パネル３による光透過部分５が形成されているので、建物への取付け状態において、光透過部分５を太陽光が通過して室内への採光が可能となり、屋根における天窓の部分やベランダの手摺部分、バルコニー、窓のような大開口部，キャノピー等への取付けが可能になり、採光の面で建物への取付け位置に制約がなくなるので、建物へのソーラパネル１の取付け枚数を増やすことができ、ソーラシステム全体の発電量の増大を図ることができる。
【００２２】
上記ソーラパネル１において、両面発電型となる二枚の太陽電池素子４を備えたものは、このソーラパネル１の背面側の位置に光の反射部材を配置し、光透過部分５を通過した太陽光を反射部材で反射させて背面側の太陽電池素子４に照射させることにより、両面で発電を生じさせることにより、発電量の増大を図ることができる。
【図面の簡単な説明】
【００２３】
【図１】この発明に係るソーラパネルの第１の実施例を示す斜視図
【図２】この発明に係るソーラパネルの第２の実施例を示す斜視図
【図３】（ａ）乃至（ｃ）の各々は、この発明に係るソーラパネルの異なった断面構造を示す縦断面図
【図４】この発明に係るソーラパネルを屋上の手摺部分に取付けた使用状態の斜視図
【符号の説明】
【００２４】
１    ソーラパネル
２    板ガラス
３    光透過性パネル
４    太陽電池素子
５    光透過部分
６    合成樹脂板
７    手摺
【図１】
2005197489.tif 000003
【図２】
2005197489.tif 000004
【図３】
2005197489.tif 000005
【図４】
2005197489.tif 000006